【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
ポンプストロークを有する吸い上げロッドポンプのロッドに実質的に鉛直方向の往復運動を与えるためのクランク付きロッドポンプ装置であって：
前記吸い上げロッドポンプの前記ロッドに鉛直方向の運動を与え、かつ制御するために、前記吸い上げロッドポンプの前記ロッドに取付けられた実質的に鉛直方向に運動する鉛直可動部材を有する機械式のクランクアクチュエータ機構と；
回転可能要素を有するモータとを備え；
前記モータが有する前記回転可能要素の回転位置と前記機械式のクランクアクチュエータ機構の実質的に鉛直方向に運動する前記鉛直可動部材の前記鉛直方向の運動との間に一定の関係が成立するように前記回転可能要素と前記鉛直可動部材とが機能的に連結されるように構成された；
クランク付きロッドポンプ装置。
【請求項２】
実質的に一定のインプットパワーによる運転モードで前記モータを運転するために、モータ駆動装置とコントローラとをさらに備える、請求項１のクランク付きロッドポンプ装置。
【請求項３】
前記クランク付きロッドポンプ装置は実質的に電力貯留要素を有しない、請求項１又は請求項２のクランク付きロッドポンプ装置。
【請求項４】
前記クランク付きロッドポンプ装置は実質的にパワー貯留要素を有しない、請求項１乃至請求項３のいずれか一項のクランク付きロッドポンプ装置。
【請求項５】
前記クランク付きロッドポンプ装置は、前記モータを駆動するための動力の一部または全部を供給するために機能的に取付けられた、ソーラーエネルギ源を有する、請求項１乃至請求項４のいずれか一項のクランク付きロッドポンプ装置。
【請求項６】
前記モータを駆動するための唯一の動力源は前記ソーラーエネルギ源であって、前記ソーラーエネルギ源が前記モータの駆動に十分なパワーを生成しているときにのみ前記クランク付きロッドポンプ装置がポンプによる汲み上げをおこなうように設けられた、請求項５のクランク付きロッドポンプ装置。
【請求項７】
前記機械式のクランクアクチュエータ機構は、井戸のウェルヘッドへの取付けに適したベースを有するフレームと、前記ベースが前記ウェルヘッドに取付けられた状態で前記ベースから鉛直方向の上方に延在する少なくとも２つのリニアガイドレールとをさらに備え、前記鉛直可動部材は前記リニアガイドレールに摺動可能に取付けられ、かつ前記リニアガイドレールによって前記リニアガイドレールに沿って実質的に鉛直方向に往復直線運動をするように拘束されるように構成された、請求項１乃至請求項６のいずれか一項のクランク付きロッドポンプ装置。
【請求項８】
前記機械式のクランクアクチュエータ機構は、前記フレームと前記鉛直可動部材との間に機能的に結合された気圧式のカウンターバランス機構をさらに備える、請求項７のクランク付きロッドポンプ装置。
【請求項９】
前記気圧式のカウンターバランス機構は、前記フレームと前記鉛直可動部材との間に機能的に結合された少なくとも一つのエアシリンダを備え、前記鉛直可動部材の下降ストロークの一部の期間にエネルギを蓄積し、蓄積したエネルギを前記鉛直可動部材の後続する上昇ストロークの一部の期間に放出するように構成された、請求項８のクランク付きロッドポンプ装置。
【請求項１０】
前記少なくとも一つのエアシリンダが前記鉛直可動部材と前記ベースとの間に配置されるように構成された、請求項９のクランク付きロッドポンプ装置。
【請求項１１】
前記クランクアクチュエータ機構は：
一定の駆動比において前記モータの前記回転可能要素と共に回転するように前記第１の取付け点において前記モータの前記回転可能要素に機能的に結合されたクランク要素と；
関節リンク要素であって、互いに離間して前記関節リンク要素に沿って配置された第１および第２の取付け点を有する前記関節リンク要素とを備え；
前記関節リンク要素の前記第１の取付け点は、前記クランク要素の前記第１の取付け点から半径方向の外側方向に偏心して離間する前記クランク要素の第２の取付け点において前記クランク要素にピボット結合されるように構成され；
前記関節リンク要素の前記第２の取付け点は前記鉛直可動部材にピボット結合されるように構成された；
請求項７乃至請求項１０のいずれか一項のクランク付きロッドポンプ装置。
【請求項１２】
前記関節リンク要素と前記クランク要素とは、前記関節リンク要素と前記磨きロッド上の前記鉛直可動部材の作用力の作用線とが実質的に整列するように構成された、請求項１１のクランク付きロッドポンプ装置。
【請求項１３】
前記関節リンク要素はオフセット部を有するように構成された、請求項１１又は請求項１２のクランク付きロッドポンプ装置。
【請求項１４】
前記ポンプストロークを変更するために、前記リニアガイドレールに沿った前記鉛直可動部材のストロークを変更するための追加の取付け点を、前記クランク要素および前記関節リンク要素の少なくともいずれか一方が有する、請求項１１乃至請求項１３のいずれか一項のクランク付きロッドポンプ装置。
【請求項１５】
前記機械式のクランクアクチュエータ機構は、前記モータの前記回転可能要素と前記クランク要素の前記第１の取付け点との間に機能的に結合された駆動機構をさらに備える、請求項１１乃至請求項１４のいずれか一項のクランク付きロッドポンプ装置。
【請求項１６】
前記ポンプストロークを変更するために、前記リニアガイドレールに沿った前記鉛直可動部材のストロークを変更するための追加の取付け点を、前記クランク要素および前記関節リンク要素の少なくともいずれか一方が有する、請求項１１乃至請求項１５のいずれか一項のクランク付きロッドポンプ装置。
【請求項１７】
前記駆動機構は前記ベース上に取付けられた、請求項１５のクランク付きロッドポンプ装置。
【請求項１８】
井戸内に配置されたポンプストロークを有する吸い上げポンプのロッドに実質的に鉛直方向の往復運動を与えることにより、ウォーキングビーム装置を有する炭化水素の井戸の稼動寿命を延長するための方法であって、前記ロッドをウォーキングビーム装置から取り外し、前記ロッドを機能的にクランク付きロッドポンプ装置に接続する方法。
【請求項１９】
前記クランク付きロッドポンプ装置に取り替える前の前記ウォーキングビーム装置の生産率よりも低い生産率で前記クランク付きロッドポンプ装置を運転するようにさらに構成された、請求項１８の方法。
【請求項２０】
前記クランク付きロッドポンプを前記井戸のウェルヘッドに直接取付けるようにさらに構成された、請求項１８又は請求項１９の方法。
【請求項２１】
前記ウォーキングビーム装置を前記井戸に隣接する場所に離して置くようにさらに構成された、請求項１８乃至請求項２０のいずれか一項の方法。
【請求項２２】
クランク付きロッドポンプ装置を液体の供給源に機能的に取付ける工程を有する、遠隔の地にある液体の供給源から液体を汲み上げる方法。
【請求項２３】
クランク付きロッドポンプ装置を独立した動力源に取付ける工程をさらに有する、請求項２２の方法。
【請求項２４】
前記独立した動力源はソーラーエネルギ動力源により構成される、請求項２３の方法。
【請求項２５】
前記遠隔の地において前記液体の供給源を提供する工程をさらに有する、請求項２２乃至請求項２４のいずれか一項の方法。
【請求項２６】
前記遠隔の地における前記液体の供給源は液体の井戸によりなり、前記液体の井戸を提供する工程をさらに有する、請求項２５の方法。
【請求項２７】
クランク付きロッドポンプ装置を始動するための方法であって：
モータを回転させるステップと；
回転速度が閾値を下回ると、前記モータの回転方向を反転させるステップと；
前記回転速度が前記閾値を下回らなくなるまで、前記反転させるステップに従って、回転方向の反転を継続するステップとを有する；
方法。
【手続補正２】
【補正対象書類名】明細書
【補正対象項目名】０００８
【補正方法】変更
【補正の内容】
【０００８】
本発明のいくつかの形態においては、機械式のクランクアクチュエータ機構は、さらにクランク要素と関節（連結）リンク要素を備えるものとしてもよい。クランク要素は、クランク要素の第１の取付け点においてモータの回転可能要素に機能的に結合され、モータの回転可能要素と共に一定の駆動比で回転する。本発明のいくつかの形態においては、機械式のクランクアクチュエータ機構はまた、クランク要素が一定の駆動比においてモータの回転可能要素とは異なるスピードで回転するようにクランク要素の第１の取付け点においてクランク要素とモータの回転可能要素との間に駆動機構を備えるものとしてもよい。機械式のクランクアクチュエータ機構の関節リンク要素は、関節リンク要素に沿って、互いに離間して配置された関節リンク要素の第１および第２の取付け点を有するものとしてもよい。関節リンク要素の第１の取付け点は、クランク要素の第１の取付け点から半径方向の外側方向へ偏心して離間するクランク要素の第２の取付け点においてクランク要素にピボット結合するものとしてもよい。関節リンク要素の第２の取付け点は、鉛直可動部材にピボット結合するものとしてもよい。
【手続補正３】
【補正対象書類名】明細書
【補正対象項目名】００１０
【補正方法】変更
【補正の内容】
【００１０】
本発明のいくつかの形態においては、機械式のクランクアクチュエータ機構は、フレームと鉛直可動部材との間に機能的に結合された気圧式のカウンターバランス機構をさらに備えるものとしてもよい。気圧式のカウンターバランス機構は、鉛直可動部材の下降ストロークの一部でエネルギを蓄え、後続する鉛直可動部材の上昇ストロークの一部で蓄えたエネルギを放出することができる、ベースと鉛直可動部材との間に機能的に接続された少なくとも一つのエアシリンダを有するものとしてもよい。本発明のいくつかの形態においては、物理的にコンパクトな装置を提供し、また、鉛直可動部材とベースとの間においてオフセットしてではなく、直接に荷重を加えることができるように、より有利にエアシリンダを配列するために、少なくとも一つのエアシリンダを鉛直可動部材とベースとの間に配置することができる。
【手続補正４】
【補正対象書類名】明細書
【補正対象項目名】００３５
【補正方法】変更
【補正の内容】
【００３５】
クランク付きロッドポンプ装置２００の第１の実施例はまた、機械式のクランクアクチュエータ機構２０８の実質的に鉛直方向に運動する鉛直可動部材２１０に、以下に詳述する方法により機能的に結合される回転要素（不図示）を有するモータ２１６を備える。
【手続補正５】
【補正対象書類名】明細書
【補正対象項目名】００４２
【補正方法】変更
【補正の内容】
【００４２】
図３および図４に示すように、クランク付きロッドポンプ装置２００の実施例の機械式のクランクアクチュエータ機構２０８は、さらにフレーム２１８と鉛直可動部材２１０との間に機能的に接続される４本のエアシリンダ２３９を有する気圧式のカウンターバランス機構２３８を備える。機械式のクランクアクチュエータ機構２０８には、以下に詳細に述べるように、さらに他の部品が適切な方法で機能的に結合されている。ここに示す図面と説明を見直せばわかるように、クランク付きロッドポンプ装置２００の実施例の気圧式のカウンターバランス機構２３８は、鉛直可動部材２１０が下降ストロークをおこなう期間の一部においてエネルギを蓄積し、続いて、鉛直可動部材２１０が上昇ストロークをおこなう期間の一部において蓄えたエネルギを放出するようにベース２２０と鉛直可動部材２１０との間に機能的に接続された、いくつかのエアシリンダ２３９を有する。気圧式のカウンターバランス機構２３８を追加した結果、クランク付きロッドポンプ装置から得ることができるリフト力を、本発明によって、気圧式のカウンターバランス機構２３８を含まないクランク付きロッドポンプ装置のリフト能力に対して実質的に増大させることができる。